(57)【要約】  【課題】複数の可動役物が重なった第１位置と第１位置から回動した第２位置とに亙って個別に設定された異なる動作角度回動し、斬新な可動役物の構成及び動作を実現し、回動駆動機構の構造を簡単化し、組付け性を向上させ、製作コストを低減し、作動面と耐久面での信頼性を高める。  【解決手段】回動駆動機構７０は、支軸７５を介して回動自在に支持された第１，第２レバー部７１ａ，７１ｂを有する駆動レバー部材７１、駆動レバー部材７１を回動させる駆動力を第１レバー部７１ａに入力可能な電動モータ８１を含む駆動力入力機構８０、複数の可動役物４０，５０，６０に夫々一体的に設けられた複数の従動レバー部材４４，５４，６４、駆動レバー部材７１の回動動作を複数の可動役物４０，５０，６０の個別の回動動作に変換するように、複数の従動レバー部材４４，５４，６４を第２レバー部７１ｂに夫々連動連結する連動連結機構９０を有する。【選択図】  図９
2010252953.tif 000002
【特許請求の範囲】
【請求項１】
遊技機の可動役物装置において、
重なり得る複数の可動役物と、
前記複数の可動役物の基端側部分を同一の軸心回りに夫々回動自在に支持する第１枢支部を有するベース部材と、
前記複数の可動役物が重なった第１位置と第１位置から前記軸心回りに回動した第２位置とに亙って、複数の可動役物を個別に設定された異なる動作角度回動させるように駆動する回動駆動機構とを備え、
前記回動駆動機構は、
前記ベース部材の第２枢支部に支軸を介して回動自在に支持された第１，第２レバー部を有する駆動レバー部材と、
前記駆動レバー部材を回動させる駆動力を前記第１レバー部に入力可能な電動アクチュエータを含む駆動力入力手段と、
前記複数の可動役物に夫々一体的に設けられ且つ前記第１枢支部に対して前記第２レバー部の方へ延びる複数の従動レバー部材と、
前記駆動レバー部材の回動動作を複数の可動役物の個別の回動動作に変換するように、複数の従動レバー部材を前記第２レバー部に夫々連動連結する連動連結機構と、
を備えたことを特徴とする遊技機の可動役物装置。
【請求項２】
前記連動連結機構は、複数の従動レバー部材を前記第２レバー部のうちの前記第２枢支部からの距離が夫々異なる部位に連動連結することを特徴とする請求項１に記載の遊技機の可動役物装置。
【請求項３】
前記連動連結機構は、複数の従動レバー部材を前記第２レバー部のうちの前記支軸を中心とする周方向の位置が夫々異なる部位に連動連結することを特徴とする請求項２に記載の遊技機の可動役物装置。
【請求項４】
前記連動連結機構は、前記第２レバー部と複数の従動レバー部材の一方に設けられた複数の係合ピンと、前記第２レバー部と複数の従動レバー部材の他方に形成され且つ前記複数の係合ピンが夫々摺動自在に係合する複数の長孔とを有することを特徴とする請求項２又は３に記載の遊技機の可動役物装置。
【請求項５】
前記電動アクチュエータが電動モータからなり、
前記駆動力入力手段は、電動モータの出力軸に固定され且つ出力軸から前記第１レバー部の方へ延びる入力レバー部材を有し、この入力レバー部材が、入力レバー部材の回動動作を駆動レバー部材の回動動作に変換可能に前記第１レバー部に連動連結されたことを特徴とする請求項１〜４の何れか１項に記載の遊技機の可動役物装置。
【請求項６】
前記駆動力入力手段は、入力レバー部材と前記第１レバー部の一方に設けられた入力係合ピンと、前記入力レバー部材と前記第１レバー部の他方に形成され且つ前記入力係合ピンが摺動自在に係合する入力長孔とを有することを特徴とする請求項５に記載の遊技機の可動役物装置。
【請求項７】
前記遊技機が画像表示器を備え、
前記複数の可動役物が、前記第１位置のときに鉛直姿勢になって画像表示器の画面前側空間から左右一方側へ退くとともに、前記第２位置のときに傾斜姿勢になって画像表示器の画面前側空間で展開するように構成されたことを特徴とする請求項１〜６の何れか１項に記載の遊技機の可動役物装置。
【請求項８】
前記ベース部材、複数の可動役物、及び回動駆動機構を左右に２組設け、
前記２組の複数の可動役物が、前記第１位置のときに画像表示器の画面前側空間から左右両側へ退くとともに、前記第２位置のときに画像表示器の画面前側空間で前後に重なるように構成されたことを特徴とする請求項７に記載の遊技機の可動役物装置。
【発明の詳細な説明】
【技術分野】
【０００１】
本発明は、遊技機の可動役物装置に関し、特に、複数の可動役物が重なった第１位置と第１位置から回動した第２位置とに亙って、複数の可動役物を同一の軸心回りに個別に設定された異なる動作角度回動させる、可動役物装置に関するものである。
【背景技術】
【０００２】
従来、パチンコ遊技機において、遊技盤の盤面と平行方向に移動する可動役物を備えた可動役物装置（例えば、特許文献１〜３、非特許文献１参照）が公知である。特許文献１〜３、非特許文献１の可動役物装置は、何れも、可動役物が画像表示器の画面前側空間で動作するものであり、特許文献１の可動役物装置では、可動役物が上下方向に平行移動し、特許文献２，３、非特許文献１の可動役物装置では、可動役物が盤面と直交する前後方向向きの軸心回りに回動する。
【０００３】
特に、非特許文献１の可動役物装置では、１対の可動役物が画像表示器の画面前側空間から退いた待機位置と画面前側空間に出現した作動位置とに亙って回動し、１対の可動役物が作動位置のときに、それらの対向端縁が近接して、全体で扇形を形成する。この可動役物装置の各可動役物は、独立に動く複数の羽根を備えたものではなく、全体が一体的に回動するものである、と推定することができる。
【先行技術文献】
【特許文献】
【０００４】
【特許文献１】特開２００９−３１１号公報
【特許文献２】特開２００３−２３６０８６号公報
【特許文献３】特開２００８−１８００９号公報
【非特許文献】
【０００５】
【非特許文献１】吉村太郎，パチンコオリジナル必勝法３月号，平成２１年３月１日，第４巻第３号，Ｐ．３６
【発明の概要】
【発明が解決しようとする課題】
【０００６】
非特許文献１の可動役物装置では、１対の可動役物が画像表示器の画面前側空間から退いた待機位置と画面前側空間に出現した作動位置とに亙って回動するが、各可動役物は全体が一体的に回動するため、可動役物を待機位置と作動位置とに亙って回動駆動する回動駆動機構を容易に構成できても、可動役物の構成及び動作が斬新さに欠けるものになる。
【０００７】
そこで、本願発明者は、盤面と平行方向へ夫々延びて前後方向に重なり得る複数の可動役物を備え、この複数の可動役物が前後に重なった待機位置と待機位置から回動した作動位置とに亙って、複数の可動役物を前後方向向きの同一の軸心回りに個別に設定された異なる動作角度回動させて、斬新な可動役物の構成及び動作を実現する、可動役物装置を提案し実用化に向けて検討を行った。ここで、複数の可動役物を大型化することでダイナミックに動作させることができるため、更に、複数の可動役物に電飾を装備することで、複数の可動役物の重量が重くなるが、この電飾との協働により、演出効果を大幅に向上させることができる。
【０００８】
しかし、複数の可動役物を個別に設定された異なる動作角度回動させるように駆動する回動駆動機構を容易に構成することは難しい。例えば、複数の可動役物に夫々対応する複数の電動モータを設けて、各可動役物を独立に駆動する回動駆動機構が考えられるが、電動モータの数が多くなり、故に、構造が複雑に且つ大型になり、回動駆動機構の取付スペースを確保できないことも懸念され、製作コストも増大する。
【０００９】
そこで、本願発明者は、共通の電動モータを駆動源とし、複数の可動役物を個別に設定された異なる動作角度回動させるために複数のギヤを備えた回動駆動機構を提案し試作を行った。しかし、この回動駆動機構では、ギヤ数を含む部品点数が非常に多くなり、故に、構造が複雑になり、組付け性が悪くなり、製作コストが増大する。しかも、部品点数が非常に多くなることから、そして、複数の可動役物を回動させるトルクが予想以上に大きくなったため、作動面と耐久面での信頼性を高めることが難しい。特に、演出効果向上のために、複数の可動役物を大型化し、更に、複数の可動役物に電飾を装備し、複数の可動役物の重量が重くなる場合、上記課題の改善が必要となる。
【００１０】
本発明の目的は、回動駆動機構により、複数の可動役物が重なった第１位置と第１位置から回動した第２位置とに亙って、複数の可動役物を同一の軸心回りに個別に設定された異なる動作角度回動させるように駆動して、斬新な可動役物の構成及び動作を実現し、演出効果を大幅に向上させ、しかも、回動駆動機構の構造を簡単化し、組付け性を向上させ、製作コストを低減し、作動面と耐久面での信頼性を高めることができる、遊技機の可動役物装置を提供することである。
【課題を解決するための手段】
【００１１】
請求項１の発明は、遊技機(1) の可動役物装置(17)において、重なり得る複数の可動役物(40,50,60)と、前記複数の可動役物(40,50,60)の基端側部分を同一の軸心(a) 回りに夫々回動自在に支持する第１枢支部(35,36) を有するベース部材(30)と、前記複数の可動役物(40,50,60)が重なった第１位置と第１位置から前記軸心(a) 回りに回動した第２位置とに亙って、複数の可動役物(40,50,60)を個別に設定された異なる動作角度回動させるように駆動する回動駆動機構(70)とを備え、前記回動駆動機構(70)は、前記ベース部材(30)の第２枢支部(37,38) に支軸(75)を介して回動自在に支持された第１，第２レバー部(71a,71b) を有する駆動レバー部材(71)と、前記駆動レバー部材(71)を回動させる駆動力を前記第１レバー部(71a) に入力可能な電動アクチュエータ(81)を含む駆動力入力手段(80)と、前記複数の可動役物(40,50,60)に夫々一体的に設けられ且つ前記第１枢支部(35,36) に対して前記第２レバー部(71b) の方へ延びる複数の従動レバー部材(44,54,64)と、前記駆動レバー部材(71)の回動動作を複数の可動役物(40,50,60)の個別の回動動作に変換するように、複数の従動レバー部材(44,54,64)を前記第２レバー部(71b) に夫々連動連結する連動連結機構(90)とを備えたことを特徴とする。
【００１２】
回動駆動機構において、第１，第２レバー部を有する駆動レバー部材が、ベース部材の第２枢支部に支軸を介して回動自在に支持され、駆動力入力手段により、駆動レバー部材を回動させる駆動力が第１レバー部に入力される。第１枢支部に対して第２レバー部の方へ延びる複数の従動レバー部材が複数の可動役物に夫々一体的に設けられ、連動連結機構により、この複数の従動レバー部材が第２レバー部に夫々連動連結されて、駆動レバー部材の回動動作が複数の可動役物の個別の回動動作に変換される。こうして、複数の可動役物を同一の軸心回りに個別に異なる動作角度回動させることができる。
【００１３】
請求項２の発明は、請求項１の発明において、前記連動連結機構(90)は、複数の従動レバー部材(44,54,64)を前記第２レバー部(71b) のうちの前記第２枢支部(37,38) からの距離が夫々異なる部位に連動連結することを特徴とする。
【００１４】
請求項３の発明は、請求項２の発明において、前記連動連結機構(90)は、複数の従動レバー部材(44,54,64)を前記第２レバー部(71b) のうちの前記支軸(75)を中心とする周方向の位置が夫々異なる部位に連動連結することを特徴とする。
【００１５】
請求項４の発明は、請求項２又は３の発明において、前記連動連結機構(90)は、前記第２レバー部(71b) と複数の従動レバー部材(44,54,64)の一方に設けられた複数の係合ピン(91a,92a,93a) と、前記第２レバー部(71b) と複数の従動レバー部材(44,54,64)の他方に形成され且つ前記複数の係合ピン(91a,92a,93a) が夫々係合する複数の長孔(91b,92b,93b) とを有することを特徴とする。
【００１６】
請求項５の発明は、請求項１〜４の何れか１項の発明において、前記電動アクチュエータ(81)が電動モータ(81)からなり、前記駆動力入力手段(80)は、電動モータ(81)の出力軸(81a) に固定され且つ出力軸(81a) から前記第１レバー部(71a) の方へ延びる入力レバー部材(83)を有し、この入力レバー部材(83)が、入力レバー部材(83)の回動動作を駆動レバー部材(71)の回動動作に変換可能に前記第１レバー部(71a) に連動連結されたことを特徴とする。
【００１７】
請求項６の発明は、請求項５の発明において、前記駆動力入力手段(80)は、入力レバー部材(83)と前記第１レバー部(71a) の一方に設けられた入力係合ピン(84a) と、前記入力レバー部材(83)と前記第１レバー部(71a) の他方に形成され且つ前記入力係合ピン(84a) が係合する入力長孔(84b) とを有することを特徴とする。
【００１８】
請求項７の発明は、請求項１〜６の何れか１項の発明において、前記遊技機(4) が画像表示器(16)を備え、前記複数の可動役物(40,50,60)が、前記第１位置のときに鉛直姿勢になって画像表示器(16)の画面前側空間から左右一方側へ退くとともに、前記第２位置のときに傾斜姿勢になって画像表示器(16)の画面前側空間で展開するように構成されたことを特徴とする。
【００１９】
請求項８の発明は、請求項７の発明において、前記ベース部材(30)、複数の可動役物(40,50,60)、及び回動駆動機構(70)を左右に２組設け、前記２組の複数の可動役物(40,50,60)が、前記第１位置のときに画像表示器(16)の画面前側空間から左右両側へ退くとともに、前記第２位置のときに画像表示器(16)の画面前側空間で前後に重なるように構成されたことを特徴とする。
【発明の効果】
【００２０】
請求項１の遊技機の可動役物装置によれば、回動駆動機構（駆動レバー部材、駆動力入力手段、複数の従動レバー部材、連動連結機構）により、複数の可動役物を同一の軸心回りに個別に異なる動作角度回動させることができ、複数の可動役物に共通の駆動レバー部材と駆動力入力手段等によって、回動駆動機構の構造を簡単化し、組付け性を向上させ、製作コストを低減し、作動面と耐久面での信頼性を高めることができる。
【００２１】
請求項２の遊技機の可動役物装置によれば、複数の可動役物を第１位置と第２位置とに亙って確実に個別に設定された異なる動作角度回動させるように駆動することができ、各従動レバー部材の駆動レバー部材への連動連結部位を前記距離で調整することにより、複数の可動役物の全体的な動作を所望の動作とし、第２位置を所望の位置に設定することができる。
【００２２】
請求項３の遊技機の可動役物装置によれば、各従動レバー部材の駆動レバー部材への連動連結部位を前記距離だけでなく前記周方向の位置で調整することにより、請求項２と同様の効果を奏するとともに、連動連結機構の組付け性の向上等を期待することができる。
【００２３】
請求項４の遊技機の可動役物装置によれば、駆動レバー部材の回動動作を複数の可動役物の個別の回動動作に確実に円滑に変換することができる。
【００２４】
請求項５の遊技機の可動役物装置によれば、駆動レバー部材を回動させる駆動力を第１レバー部に確実に入力することができる。
【００２５】
請求項６の遊技機の可動役物装置によれば、駆動レバー部材を回動させる駆動力を第１レバー部に確実に円滑に入力することができる。
【００２６】
請求項７の遊技機の可動役物装置によれば、複数の可動役物を第１位置から第２位置へ切換えることにより、画像表示器の左右一端側から上下一端側へ向かう扇状に展開させることができ、画像表示器との協働により、演出効果を一層向上させることができる。
【００２７】
請求項８の遊技機の可動役物装置によれば、２組の複数の可動役物を第１位置から第２位置へ切換えることにより、画像表示器の左右両端側から夫々上下一端側へ向かう扇状に展開させることができ、ここで、２組の複数の可動役物を相互干渉させることなく大型化することができ、これにより、画像表示器の前側を大きく覆い隠すことができ、そして、画像表示器との協働により、演出効果をより一層向上させることができる。
【図面の簡単な説明】
【００２８】
【図１】パチンコ遊技機の正面図である。
【図２】パチンコ遊技機の制御系のブロック図である。
【図３】可動役物装置の可動役物が第１位置のときの正面図である。
【図４】可動役物装置の可動役物が第２位置のときの正面図である。
【図５】可動役物装置の可動役物が第１位置のときの背面図である。
【図６】可動役物装置の可動役物が第２位置のときの背面図である。
【図７】可動役物装置の正面斜め上側からの斜視図である。
【図８】可動役物装置の背面斜め上側からの斜視図である。
【図９】左可動役物機構の正面斜め上側からの展開斜視図である。
【図１０】左可動役物機構の背面斜め上側からの展開斜視図である。
【図１１】左可動役物機構の要部の正面斜め上側からの斜視図である。
【図１２】左可動役物機構の要部の背面斜め上側からの斜視図である。
【発明を実施するための形態】
【００２９】
本発明の遊技機の可動役物装置は、遊技盤の盤面と平行方向へ夫々延びて盤面と直交する前後方向に重なり得る複数の可動役物を備え、この複数の可動役物が前後に重なった第１位置と第１位置から回動して展開した第２位置とに亙って、複数の可動役物を前後方向向きの同一の軸心回りに個別に設定された異なる動作角度回動させるように構成したものであり、以下、発明を実施するための形態について実施例に基づいて説明する。
【実施例】
【００３０】
図１に示すように、パチンコ遊技機１には、遊技ホールに取付けられる外枠に開閉枠２が開閉自在に装着され、開閉枠２に開閉扉３が開閉自在に装着されている。開閉枠２には遊技盤４が装着され、その遊技盤４の前面側に遊技領域５が形成されている。開閉扉３には窓３ａが形成され、その窓３ａに透明板３ｂが装着され、その透明板３ｂにより遊技領域５の前側が覆われている。
【００３１】
開閉扉３の窓３ａの下側に、遊技球を貯留する貯留皿６と、遊技領域５に遊技球を発射させる発射ハンドル７が装着されている。発射ハンドル７が回動操作されると、貯留皿６から発射位置に導入された遊技球が発射され、ここで、貯留皿６に複数の遊技球が存在する場合には、複数の遊技球が約０．６秒間隔で連続発射される。発射された遊技球はガイドレール８で案内され遊技領域５の上部に投入される。
【００３２】
図１、図２に示すように、遊技盤４には、多数の障害釘１０、始動入賞口装置１１、ゲート１２、大入賞口装置１３、複数の一般入賞口１４、センタ役物１５、画像表示器１６、可動役物装置１７、遊技表示盤１８が装着され、遊技盤４の裏面側に制御装置２０が装着されている。
【００３３】
始動入賞口装置１１は、センタ役物１５のステージ１５ａの下側に配置され、所謂電チューを含む構成であり、第１始動入賞口１１ａ、第２始動入賞口１１ｂ、第２始動入賞口１１ｂを開閉する開閉部材１１ｃ、第１始動入賞口１１ａに入賞した遊技球を検出する第１始動口ＳＷ１１ｄ、第２始動入賞口１１ｂに入賞した遊技球を検出する第２始動口ＳＷ１１ｅ、開閉部材１１ｃを開閉駆動する電チューソレノイド１１ｆを有する。開閉部材１１ｃは、閉位置で第２始動入賞口１１ｂへの遊技球の入賞を不可能にし、開位置で第２始動入賞口１１ｂへの遊技球の入賞を可能にする。ゲート１２はセンタ役物１５の左側に配置され、ゲート１２には通過した遊技球を検出するゲートＳＷ１２ａが付設されている。
【００３４】
大入賞口装置１３は、始動入賞口装置１１の下側に配置され、大入賞口１３ａ、大入賞口１３ａを開閉する開閉部材１３ｂ、大入賞口１３ａに入賞した遊技球を検出する大入賞口ＳＷ１３ｃ、開閉部材１３ｂを開閉駆動する大入賞口ソレノイド１３ｄを有する。開閉部材１３ｂは、閉位置で大入賞口１３ａへの遊技球の入賞を不可能にし、開位置で大入賞口１３ａへの遊技球の入賞を可能にする。各一般入賞口１４には入賞した遊技球を検出する一般入賞口ＳＷ１４ａが付設されている。
【００３５】
センタ役物１５は、遊技盤４の盤面（前面）よりも前方へ張出すステージ１５ａを含むセンタ枠部材１５ｂを有し、このセンタ役物１５に、画像表示器１６と本案特有の可動役物装置１７が設けられている。画像表示器１６は、液晶ディスプレイからなり、その画面がセンタ枠部材１５ｂの内側から前方へ臨むように設けられている。可動役物装置１７については、後で詳細に説明する。
【００３６】
遊技表示盤１８は、遊技盤４の下部右側に前方へ向けて配置され、第１特別図柄表示器１８ａ、第２特別図柄表示器１８ｂ、普通図柄表示器１８ｃ、第１特別図柄保留ランプ１８ｄ、第２特別図柄保留ランプ１８ｅ、普通図柄保留ランプ１８ｆを備えている。
【００３７】
第１特別図柄表示器１８ａには、第１始動入賞口１１ａへの遊技球の入賞を契機に第１特別図柄が図柄変動後に表示され、第２特別図柄表示器１８ｂには、第２始動入賞口１１ｂへの遊技球の入賞を契機に第２特別図柄が図柄変動後に表示される。第１又は第２特別図柄表示器１８ａ又は１８ｂに大当り図柄（特定の特別図柄）が表示された場合、大当り遊技が発生して、大入賞口装置１３が作動し、通常は閉塞の大入賞口１３ａを開放するように開閉部材１３ｂを複数ラウンドに亙って開閉動作させる。
【００３８】
普通図柄表示器１８ｃには、ゲート１２への遊技球の入賞を契機に普通図柄が図柄変動後に表示される。普通図柄表示器１８ｃに当り図柄が表示された場合、補助遊技が発生して、始動入賞口装置１１が作動し、通常は閉塞の第２始動入賞口１１ｂを開放するように開閉部材１１ｃを１又は複数回開閉動作させる。
【００３９】
第１特別図柄保留ランプ１８ｄには、第１始動入賞口１１ａに入賞した遊技球の数であって第１特別図柄表示器１８ａでの図柄変動に未だ供していない第１保留数が４個まで表示され、第２特別図柄保留ランプ１８ｅには、第２始動入賞口１１ｂに入賞した遊技球の数であって第２特別図柄表示器１８ｂでの図柄変動に未だ供していない第２保留数が４個まで表示され、普通図柄保留ランプ１８ｆには、ゲート１２に入賞した遊技球の数であって普通図柄表示器１８ａでの図柄変動に未だ供していない保留数が４個まで表示される。
【００４０】
発射ハンドル７を回動操作することで、発射され遊技領域５の上部に投入された遊技球は、複数の障害釘１０に当たって方向を変えながら落下して、入賞口１１ａ，１１ｂ，１３ａ，１４の何れかに入賞した場合、そこから遊技領域５外へ排出され、入賞口１１ａ，１１ｂ，１３ａ，１４の何れにも入賞しなかった場合には、最終的に、遊技領域５の下端部に形成されたアウト口９から遊技領域５外へ排出される。
【００４１】
制御系について説明する。
図２に示すように、制御装置２０は、メイン制御装置２１とサブ制御装置２５とで構成されている。メイン制御装置２１は、遊技制御基板２２にＣＰＵとＲＯＭとＲＡＭを備えて構成され、遊技制御基板２２は盤用外部情報端子基板２３に接続されている。
【００４２】
サブ制御装置２５は、払出制御基板２６、演出制御基板２７、画像制御基板２８、ランプ制御基板２９を備え、この複数の制御基板２６〜２９は夫々ＣＰＵとＲＯＭとＲＡＭを備えて構成され、更に、演出制御基板２７はＲＴＣを備えて構成され、払出制御基板２６は枠用外部情報端子基板２４に接続されている。
【００４３】
遊技制御基板２２は、第１，第２始動口ＳＷ１１ｄ，１１ｅ、ゲートＳＷ１２ａ、大入賞口ＳＷ１３ｃ、一般入賞口ＳＷ１４ａからの検出信号と、払出制御基板２６からの制御情報を受けて、電チューソレノイド１１ｆ、大入賞口ソレノイド１３ｄ、図柄表示器１８ａ，１８ｂ，１８ｃ、図柄保留ランプ１８ｄ，１８ｅ，１８ｆを制御し、払出制御基板２６と演出制御基板２７と盤用外部情報端子基板２３に制御情報（遊技情報）を出力する。
【００４４】
払出制御基板２６は、遊技制御基板２２からの制御情報と、払出球検出ＳＷ３１、球有り検出ＳＷ３２、満タン検出ＳＷ３３からの検出信号を受けて、払出駆動モータ３０を制御し、入賞口１１ａ，１１ｂ，１３ａ，１４への遊技球の入賞１個について、入賞口１１ａ，１１ｂ，１３ａ，１４毎に設定された数の遊技球を貯留皿６に払出し、遊技制御基板２２と枠用外部情報端子基板２４に制御情報（払出情報）を出力する。
【００４５】
演出制御基板２７は、遊技制御基板２２からの制御情報と、貯留皿６に設けられた演出ボタン３５からの操作信号を受けて、画像制御基板２８に制御情報を出力し、更に、画像制御基板２８からの制御情報を受けて、ランプ制御基板２９に制御情報を出力する。画像制御基板２８は、演出制御基板２７からの制御情報を受けて、画像表示器１６とスピーカ３４とを制御し、演出制御基板２７に制御情報を出力する。ランプ制御基板２９は、演出制御基板２７からの制御情報を受けて、主に画像制御基板２８による制御に同期させて、枠ランプ３６と盤ランプ３７と可動役物装置１７とを制御する。
【００４６】
次に、可動役物装置１７について説明する。
図１、図３〜図１２に示すように、可動役物装置１７は、左可動役物機構１７Ａと右可動役物機構１７Ｂを備え、この可動役物機構１７Ａ，１７Ｂの各々が、ベース部材３０、複数（３つ）の可動役物４０，５０，６０（前側可動役物４０、後側可動役物５０、前側可動役物４０と後側可動役物５０との間の中間可動役物６０）、回動駆動機構７０を備えている。つまり、可動役物装置１７には、ベース部材３０、複数の可動役物４０，５０，６０、回動駆動機構７０が左右に２組設けられている。
【００４７】
尚、左右の可動役物機構１７Ａ，１７Ｂは、基本的に、左右対称に構成されて、左右対称に動作するため、左可動役物機構１７Ａについて詳細に説明し、右可動役物機構１７Ｂの主要な構成については、左可動役物機構１７Ａの主要な構成と同一符号を付し、右可動役物機構１７Ｂの詳細な説明を省略する。
【００４８】
左可動役物機構１７Ａにおいて、ベース部材３０は、遊技盤４の裏面側に取付けられ、複数の可動役物４０，５０，６０の基端側部分を前後方向向きの同一の軸心ａ回りに夫々回動自在に支持するものである。複数の可動役物４０，５０，６０は、遊技盤４の盤面と平行方向へ夫々延びて、盤面と直交する前後方向に重なり得る。回動駆動機構７０は、複数の可動役物４０，５０，６０が前後に重なった待機位置である第１位置（図３、図５等参照）と第１位置から軸心ａ回りに回動して展開した作動位置である第２位置（図４、図６参照）とに亙って、複数の可動役物４０，５０，６０を個別に設定された異なる動作角度（例えば、前側可動役物４０は約３０度、中間回動役物６０は６０度、後側可動役物５０は９０度）回動させるように駆動するものである。
【００４９】
図３〜図１０に示すように、ベース部材３０は、前壁３１と後壁３２と周壁３３とを有し、その右下部から左方且つ上方へ張り出して正面視略Ｌ形に、また、前後の厚さが比較的薄い透明な合成樹脂製ケースに形成されている。このベース部材３０は、前壁３１と周壁３３の一部を含むベース部材前部３０ａと、後壁３２と周壁３３の残り一部を含むベース部材後部３０ｂとを結合して構成され、このベース部材３０の内部に、複数の可動役物４０，５０，６０の基端側部分と回動駆動機構７０の大部分が収容されている。
【００５０】
ベース部材３０の左上部において、前壁３１には後面側に軸心ａを中心とする前側環状凹部３５（前側枢支部）が形成され、後壁３２には前面側に軸心ａを中心とする後側環状凹部３６（後側枢支部）が形成されている。尚、前側環状凹部３５と後側環状凹部３６（前側枢支部と後側枢支部）が、複数の可動役物４０，５０，６０の基端側部分を前後方向向きの同一の軸心ａ回りに夫々回動自在に支持する枢支部（第１枢支部）に相当する。
【００５１】
前側可動役物４０の基端側部分が前側環状凹部３５に回動自在に支持され、後側可動役物５０の基端側部分が後側環状凹部３６に回動自在に支持され、前側可動役物４０と後側可動役物５０の基端側部分同士が相対回動自在に連結され、中間可動役物６０の基端側部分が前側可動役物４０の基端側部分に回動自在に支持されている。
【００５２】
前壁３１には、前側環状凹部３５の前奥端部に前側環状凹部３５よりも小径の貫通孔３１ａが形成され、後壁３２には、後側環状凹部３６の後奥端部に後側環状凹部３６よりも小径の貫通孔３２ａが形成されている。
【００５３】
ベース部材３０の下部の左右方向中央部分において、前壁３１には前後方向向きの軸心ｂを中心とする前側枢支孔部３７が後方突出状に形成され、後壁３２には軸心ｂを中心とする後側枢支孔部３８が前方突出状に形成されている。尚、前側枢支孔部３７と後側枢支孔部３８が、回動駆動機構７０の駆動レバー部材７１を前後方向向きの軸心ｂ回りに回動自在に支持する枢支部（第２枢支部）に相当する。
【００５４】
前壁３１の右部にはモータ取付口３１ｂが形成され、後壁３２の左上部には後側環状凹部３６の下側に軸心ａを中心とする円弧状のガイドスリット３２ｂが形成され、後壁３２の左下部にはセンサ取付部３２ｃが形成されている。ベース部材３０の左上端部分には、周壁３３が存在せず、複数の可動役物４０，５０，６０が通過する可動役物通過口３３ａが形成されている。尚、ベース部材３０は、後壁３２に後側から取付けられガイドスリット３２ｂ等を覆うカバー部材３９を有する。
【００５５】
図１、図３〜図１２に示すように、複数の可動役物４０，５０，６０は、第１位置のときに鉛直姿勢になって画像表示器１６の画面前側空間から左側へ退くとともに、第１位置から右方且つ下方へ回動し、その際、後側可動役物５０が９０度、中間回動役物６０が６０度、前側可動役物４０が約３０度回動して、第２の位置になり、この第２位置のときに傾斜姿勢になって画像表示器１６の画面前側空間で展開する。左右の可動役物機構１７Ａ，１７Ｂの複数の可動役物４０，５０，６０は、第１位置のときに画像表示器１６の画面前側空間から左右両側へ退き、第２位置のときに、前側可動役物４０同士が画像表示器１６の画面前側空間で前後に重なる。
【００５６】
複数の可動役物４０，５０，６０には、夫々、合成樹脂製の可動役物本体部材４１，５１，６１と、合成樹脂製の裏カバー部材４２，５２，６２と、電飾機構４３，５３，６３（電飾手段）と、合成樹脂製の従動レバー部材４４，５４，６４が設けられている。
【００５７】
各可動役物本体部材４１，５１，６１は、前面部と周面部とを有するとともに先端部分に３枚の羽根形状部が形成された役物表示部４１ａ，５１ａ，６１ａと、役物表示部４１ａ，５１ａ，６１ａの基端側に位置する役物基部４１ｂ，５１ｂ，６１ｂとからなり、役物表示部４１ａ，５１ａ，６１ａの裏面側が裏カバー部材４２，５２，６２で覆われている。前側可動役物４０の裏カバー部材４２と中間可動役物６０の可動役物本体部材６１が近接し、中間可動役物６０の裏カバー部材６２と後側可動役物５０の可動役物本体部材５１が近接するように、複数の可動役物４０，５０，６０が前後方向に並設されている。
【００５８】
複数の可動役物４０，５０，６０が第１位置のとき、それら可動役物本体部材４１，５１，６１の羽根形状部の軸心ａを中心とする周向位置が一致するように前後方向に重なり、複数の可動役物４０，５０，６０が第２位置のとき、それら可動役物本体部材４１，５１，６１の合計９枚の羽根形状部が軸心ａを中心とする周方向に略等間隔おきに位置するように展開する（図４、図６参照）。
【００５９】
各電飾機構４３，５３，６３は、裏カバー部材４２，５２，６２に取付けられたプリント基板、プリント基板の前面に実装された複数のＬＥＤ、可動役物本体部材４１，５１，６１の表面部に設けられたレンズを有し、各電飾機構４３，５３，６３に（プリント基板を介して複数のＬＥＤに）接続された配線４３ａ，５３ａ，６３ａ（図９参照）は、ランプ制御基板２９又は他の基板に構成されたＬＥＤ駆動回路に接続されている。
【００６０】
前側可動役物４０の基端側部分に、前方へ突出する円筒状の前側係合軸部４５と、後方へ突出する部分円筒状の前側連結軸部４６が設けられ、後側可動役物５０の基端側部分に、後方へ突出する円筒状の後側係合軸部５５と、前方へ突出する部分円筒状の後側連結軸部５６が設けられ、中間可動役物６０の基端側部分に、部分円筒状の中間係合部６５が設けられている。
【００６１】
前側可動役物４０の従動レバー部材４４に前側係合軸部４５と前側連結軸部４６が一体形成され、この従動レバー部材４４が前側可動役物４０の可動役物本体部材４１の役物基部４１ｂに後側から固定され、この役物基部４１ｂに形成された孔４１ｃを前側係合軸部４５が貫通している。後側可動役物５０の従動レバー部材５４に後側係合軸部５５と後側連結軸部５６が一体形成され、この従動レバー部材５４が後側可動役物５０の可動役物本体部材５１の役物基部５１ｂに後側から固定され、この役物基部５１ｂに形成された孔５１ｃを後側連結軸部５６が貫通している。
【００６２】
中間可動役物６０の従動レバー部材６４に中間係合部６５が一体形成され、この従動レバー部材６４が中間可動役物６０の可動役物本体部材６１の役物基部６１ｂに後側から固定され、この役物基部６１ｂに形成された孔６１ｃを中間係合部６５が貫通している。そして、前側係合軸部４５がベース部材３０の前側環状凹部３５にベアリング４７を介して回動自在に係合され、後側係合軸部５５がベース部材３０の後側環状凹部３６にベアリング５７を介して回動自在に係合され、中間係合部６５が前側連結軸部４６に回動自在に外嵌され、後側連結軸部５６が前側連結軸部４６に回動自在に内嵌されている。
【００６３】
前側係合軸部４５の内部と前側連結軸部４６の内部とが連通されて、前側係合軸部４５と前側連結軸部４６の前後両端が開口し、後側係合軸部５５の内部と後側連結軸部５６の内部とが連通されて、後側係合軸部５５の前端が開口している。つまり、前側係合軸部４５、前側連結軸部４６、後側係合軸部５５、後側連結軸部５６が夫々中空状に形成されて、それらの内部空間が連通され、電飾機構４３，５３，６３に接続された配線４３ａ，５３ａ，６３ａが、前記内部空間を通って、更に前壁３１の貫通孔３１ａを通って、ベース部材３０の前壁３１外へ延びるように配設されている（図９参照）。
【００６４】
前後に隣接する前側可動役物４０と中間可動役物６０のうち、前側に位置する前側可動役物４０の裏カバー部材４２の背面に、後側に位置する中間回動役物６０の可動役物本体部材６１の前面と摺動するように軸心ａを中心とする円弧状の摺動突起部４９が一体形成されている。また、前後に隣接する中間回動役物６０と後側可動役物５０のうち、前側に位置する中間回動役物６０の裏カバー部材６２の背面に、後側に位置する後側回動役物５０の可動役物本体部材５１の前面と摺動するように軸心ａを中心とする円弧状の摺動突起部６９が一体形成されている。
【００６５】
図９〜図１２に示すように、回動駆動機構７０は、ベース部材３０の前側枢支孔部３７と後側枢支孔部３８に前後方向向きの支軸７５を介して軸心ｂ回りに回動自在に支持され且つ盤面と平行方向へ夫々延びる第１，第２レバー部７１ａ，７１ｂを有する駆動レバー部材７１と、駆動レバー部材７１を回動させる駆動力を第１レバー部７１ａに入力可能な電動モータ８１（ステッピングモータ８１）を含む駆動力入力機構８０（駆動力入力手段）と、複数の可動役物４０，５０，６０に夫々一体的に設けられ且つ環状凹部３５，３６（軸心ａ）に対して第２レバー部７１ｂの方へ延びる複数の従動レバー部材４４，５４，６４と、駆動レバー部材７１の回動動作を複数の可動役物４０，５０，６０の個別の回動動作に変換するように、複数の従動レバー部材４４，５４，６４を第２レバー部７１ｂに夫々連動連結する連動連結機構９０とを備えている。
【００６６】
駆動レバー部材７１は、第１レバー部７１ａと第２レバー部７１ａの一部とを有する合成樹脂製の駆動レバー本体部材７２と、第２レバー部７１ａの残り一部を有する合成樹脂製の駆動レバー分割部材７３とで構成されている。駆動レバー本体部材７２の中心部には、前後両側へ突出するボス部７２ａが形成され、このボス部７２ａが支軸７５に回動自在に外嵌されている。ボス部７２ａの前後両側において、支軸７５に１対のスペーサ７６，７７が外嵌され、このスペーサ７６，７７により、駆動レバー部材７１が前後方向定置に回動可能な状態で保持される。
【００６７】
駆動レバー分割部材７３の基端部分には孔７３ａが形成され、その孔７３ａを駆動レバー本体部材７２の後方へ突出するボス部７２ａが挿通し、駆動レバー分割部材７３が駆動レバー本体部材７２の第２レバー部７１ｂと略同方向へ延びるように、駆動レバー分割部材７３が駆動レバー本体部材７２に後側から固定されている。この駆動レバー分割部材７３は、駆動レバー本体部材７２に中間可動役物６０の従動レバー部材６４を組付けた後に、組付け固定される。尚、図１１、図１２の駆動レバー部材７１については、駆動レバー本体部材７２に中間可動役物６０の従動レバー部材６４が組付けられない状態で、駆動レバー本体部材７２に駆動レバー分割部材７３が組付け固定された状態を示している。
【００６８】
駆動力入力機構８０において、合成樹脂製のモータ取付座８２が、ベース部材３０の前側から前壁３１に形成されたモータ取付口３１ｂに嵌合固定され、このモータ取付座８２に電動モータ８１が前側から取付けられ、この電動モータ８１の出力軸８１ａは、モータ取付座８２を挿通して、前壁３１の後側、即ち、ベース部材３０の内部に達している。
【００６９】
駆動力入力機構８０は、電動モータ８１の出力軸８１ａに固定され且つ出力軸８１ａから盤面と平行方向に駆動レバー部材７１の第１レバー部７１ａの方へ延びる合成樹脂製の入力レバー部材８３を有し、この入力レバー部材８３が、入力レバー部材８３の回動動作を駆動レバー部材７１の回動動作に変換可能に駆動レバー部材７１の第１レバー部７１ａに連動連結されている。
【００７０】
具体的に、駆動力入力機構８０は、入力レバー部材８３を駆動レバー部材７１の第１レバー部７１ａに連動連結するために、入力レバー部材８３の先端部に後方へ突出するように設けられた入力係合ピン８４ａと、駆動レバー部材７１の第１レバー部７１ａに軸心ｂと直交する方向に延びるように形成され且つ入力係合ピン８４ａが環状コロ部材８５を介して前側から係合する入力長孔８４ｂとを有する。
【００７１】
連動連結機構９０は、複数の従動レバー部材４４，５４，６４を駆動レバー部材７１の第２レバー部７１ｂのうちの枢支孔部３７，３８（軸心ｂ）からの距離が夫々異なる部位（環状凹部３５，３６（軸心ａ）からの距離が夫々異なる部位）に連動連結し、これにより、複数の可動役物４０，５０，６０を個別に設定された異なる動作角度回動させるように構成している。具体的に、連動連結機構９０は、駆動レバー部材７１の第２レバー部７１ｂの先端側部分に設けられた複数（３つ）の係合ピン９１ａ，９２ａ，９３ａと、複数の従動レバー部材４４，６４，５４に軸心ａと直交する方向へ延びるように形成された複数の長孔９１ｂ，９２ｂ，９３ｂとを有する。軸心ｂからの距離は、係合ピン９１ａ→係合ピン９２ａ→係合ピン９３ａの順に遠くなっている。
【００７２】
係合ピン９１ａは、駆動レバー本体部材７２の長さ方向途中部に前方へ突出するように設けられて、長孔９１ｂに後側から摺動自在に係合し、係合ピン９２ａは、駆動レバー本体部材７２の先端部に後方へ突出するように設けられて、長孔９２ｂに前側から摺動自在に係合し、係合ピン９３ａは、係合ピン９２ａよりも軸心ｂから離れた位置にある駆動レバー分割部材７２の先端部に後方へ突出するように設けられて、長孔９３ｂに前側から摺動自在に係合している。
【００７３】
ここで、後側可動役物５０の従動レバー部材５４には、長孔９３ｂの近くにおいて、後方へ突出するガイドピン９４が設けられ、このガイドピン９４がベース部材３０の後壁３２に形成されたガイドスリット３２ｂに摺動自在に係合している。
【００７４】
また、後壁３２のセンサ取付部３２ｃには、光学センサ９５（フォトインタラプタ９５）が取付けられている。この光学センサ９５は、発光部と受光部とを有し、その発光部と受光部が、駆動レバー本体部材７２に後方へ突出するように設けられた部分円筒部７２ｂを挟むように配置されている。この部分円筒部７２ｂにはスリット７２ｃが形成され、そのスリット７２ｃが光学センサ９５の発光部と受光部との間に位置すると検知され、そのときの駆動レバー部材７１の位置、即ち、可動役物４０，５０，６０の位置が原点位置となり、この原点位置を基準に電動モータ８１が制御される。
【００７５】
以上説明した可動役物装置１７の作用・効果について説明する。
通常、左右２組の可動役物機構１７Ａ，１７Ｂの複数の可動役物４０，５０，６０は、第１位置（待機位置）に待機し、夫々鉛直姿勢になって前後に重なり、画像表示器１６の画面前側空間から左右両側へ退いた状態になっている。特別図柄表示器１８ａ、１８ｂでの図柄変動や大当り遊技に伴って行われる所定の演出において、左右２組の可動役物機構１７Ａ，１７Ｂの複数の可動役物４０，５０，６０が、第１位置から第２位置（作動位置）に切換えられ、夫々傾斜姿勢になって、画像表示器１６の画面前側空間で重なるように展開し、その後再び、第２位置から第１位置に切換えられる。
【００７６】
左可動役物機構１７Ａの複数の可動役物４０，５０，６０を第１位置から第２位置に切換える際には、駆動力入力機構８０において、電動モータ８１により入力レバー部材８３が正面視にて反時計回り方向へ回動駆動されて、駆動レバー部材７１を回動させる駆動力が、入力レバー部材８３から入力係合ピン８４ａと入力長孔８４ｂを介して駆動レバー部材７１の第１レバー部７１ａに入力され、駆動レバー部材７１が正面視にて反時計回り方向へ回動駆動される。
【００７７】
駆動レバー部材７１が反時計回り方向へ回動駆動されると、連動連結機構９０において、前側可動役物４０を回動させる駆動力が、駆動レバー部材７１から係合ピン９１ａと長孔９１ｂを介して従動レバー部材４４に入力され、中間可動役物６０を回動させる駆動力が、駆動レバー部材７１から係合ピン９２ａと長孔９２ｂを介して従動レバー部材６４に入力され、後側可動役物５０を回動させる駆動力が、駆動レバー部材７１から係合ピン９３ａと長孔９３ｂを介して従動レバー部材５４に入力され、複数の可動役物４０，５０，６０が正面視にて時計回り方向へ夫々回動駆動される。
【００７８】
このように、駆動レバー部材７１の反時計回り方向の回動動作が複数の可動役物４０，５０，６０の個別の時計回り方向の回動動作に変換され、複数の可動役物４０，５０，６０が第１位置から第２位置へ個別に設定された異なる動作角度回動する。
【００７９】
また、左可動役物機構１７Ａの複数の可動役物４０，５０，６０を第２位置から第１位置に切換える際には、駆動力入力機構８０において、電動モータ８１により入力レバー部材８３が正面視にて時計回り方向へ回動駆動されて、駆動レバー部材７１を回動させる駆動力が、入力レバー部材８３から入力係合ピン８４ａと入力長孔８４ｂを介して駆動レバー部材７１の第１レバー部７１ａに入力され、駆動レバー部材７１が正面視にて時計回り方向へ回動駆動される。
【００８０】
駆動レバー部材７１が時計回り方向へ回動駆動されると、連動連結機構９０において、前側可動役物４０を回動させる駆動力が、駆動レバー部材７１から係合ピン９１ａと長孔９１ｂを介して従動レバー部材４４に入力され、中間可動役物６０を回動させる駆動力が、駆動レバー部材７１から係合ピン９２ａと長孔９２ｂを介して従動レバー部材６４に入力され、後側可動役物５０を回動させる駆動力が、駆動レバー部材７１から係合ピン９３ａと長孔９３ｂを介して従動レバー部材５４に入力され、複数の可動役物４０，５０，６０が正面視にて反時計回り方向へ夫々回動駆動される。
【００８１】
このように、駆動レバー部材７１の時計回り方向の回動動作が複数の可動役物４０，５０，６０の個別の反時計回り方向の回動動作に変換され、複数の可動役物４０，５０，６０が第２位置から第１位置へ個別に設定された異なる動作角度回動する。
【００８２】
この可動役物装置１７によれば、遊技盤４の盤面と平行方向へ夫々延びて盤面と直交する前後方向に重なり得る複数の可動役物４０，５０，６０を備え、この複数の可動役物４０，５０，６０の基端側部分がベース部材３０の環状凹部３５，３６に前後方向向きの同一の軸心ａ回りに夫々回動自在に支持され、回動駆動機構７０により、複数の可動役物４０，５０，６０が前後に重なった第１位置と第１位置から軸心ａ回りに回動して展開した第２位置とに亙って、複数の可動役物４０，５０，６０が個別に設定された異なる動作角度回動するように駆動される。
【００８３】
つまり、斬新な可動役物４０，５０，６０の構成及び動作を実現することができ、複数の可動役物４０，５０，６０を大型化することでダイナミックに動作させることができるため、更に、複数の可動役物４０，５０，６０に電飾機構４３，５３，６３を装備したことで、この電飾機構４３，５３，６３との協働により、演出効果を大幅に向上させることができる。
【００８４】
回動駆動機構７０において、盤面と平行方向へ夫々延びる第１，第２レバー部７１ａ，７１ｂを有する駆動レバー部材７１が、ベース部材３０の枢支孔部３７，３８に前後方向向きの支軸７５を介して回動自在に支持され、駆動力入力機構８０により、駆動レバー部材７１を回動させる駆動力が駆動レバー部材７１の第１レバー部７１ａに入力される。環状凹部３５，３６に対して駆動レバー部材７１の第２レバー部７１ｂの方へ延びる複数の従動レバー部材４４，５４，６４が複数の可動役物４０，５０，６０に夫々一体的に設けられ、連動連結機構９０により、この複数の従動レバー部材４４，５４，６４が駆動レバー部材７１の第２レバー部７１ｂに夫々連動連結されて、駆動レバー部材７１の回動動作が複数の可動役物４０，５０，６０の個別の回動動作に変換される。
【００８５】
こうして、複数の可動役物４０，５０，６０を前後方向向きの同一の軸心ａ回りに個別に異なる動作角度回動させることができ、しかも、複数の可動役物４０，５０，６０に共通の駆動レバー部材７１と駆動力入力機構８０等によって、回動駆動機構７０の構造を簡単化し、組付け性を向上させ、製作コストを低減し、作動面と耐久面での信頼性を高めることができる。故に、複数の可動役物４０，５０，６０を大型化することで、更に、複数の可動役物４０，５０，６０に電飾機構４３，５３，６３を装備することで、複数の可動役物４０，５０，６０の重量が重くなるが、回動駆動機構７０の作動面と耐久面での信頼性を高く維持して、演出効果の大幅な向上を達成することができる。
【００８６】
連動連結機構９０により、複数の従動レバー部材４４，５４，６４が駆動レバー部材７１の第２レバー部７１ｂのうちの枢支孔部３７，３８からの距離が夫々異なる部位に連動連結されたので、複数の可動役物４０，５０，６０を第１位置と第２位置とに亙って確実に個別に設定された異なる動作角度回動させるように駆動することができ、各従動レバー部材４４，５４，６４の駆動レバー部材７１への連動連結部位を前記距離で調整することにより、複数の可動役物４０，５０，６０の全体的な動作を所望の動作とし、第２位置を所望の位置に設定することができる。
【００８７】
連動連結機構９０は、駆動レバー部材７１の第２レバー部７１ｂに設けられた複数の係合ピン９１ａ，９２ａ，９３ａと、複数の従動レバー部材４４，６４，５４に形成され且つ複数の係合ピン９１ａ，９２ａ，９３ａが夫々係合する複数の長孔９１ｂ，９２ｂ，９３ｂとを有するので、駆動レバー部材７１の回動動作を複数の可動役物４０，５０，６０の個別の回動動作に確実に円滑に変換することができる。
【００８８】
駆動力入力機構８０は、電動モータ８１の出力軸８１ａに固定され且つ出力軸８１ａから駆動レバー部材７１の第１レバー部７１ａの方へ延びる入力レバー部材８３を有し、この入力レバー部材８３が、入力レバー部材８３の回動動作を駆動レバー部材７１の回動動作に変換可能に駆動レバー部材７１の第１レバー部７１ａに連動連結されたので、駆動レバー部材７１を回動させる駆動力を駆動レバー部材７１の第１レバー部７１ａに確実に入力することができる。
【００８９】
駆動力入力機構８０は、入力レバー部材８３に設けられた入力係合ピン８４ａと、駆動レバー部材７１の第１レバー部７１ａに形成され且つ入力係合ピン８４ａが係合する入力長孔８４ｂとを有するので、駆動レバー部材７１を回動させる駆動力を駆動レバー部材７１の第１レバー部７１ａに確実に円滑に入力することができる。
【００９０】
前側可動役物４０と後側可動役物５０が夫々前側枢支後部３７と後側枢支孔部３８に回動自在に支持され、中間可動役物６０が前側可動役物４０に回動自在に支持されたので、複数の可動役物４０，５０，６０を前後にできる限り接近させた状態で設けて、複数の可動役物４０，５０，６０の基端側部分をベース部材３０に同一の軸心ａ回りに夫々確実に円滑に回動自在に支持することができる。故に、本実施例のように、複数の可動役物４０，５０，６０を大型化する場合や、複数の可動役物４０，５０，６０を画像表示器１６の画面前側空間で動作させる場合でも、複数の可動役物４０，５０，６０を前後にできる限り接近させた状態で動作可能に遊技盤４に装備することができる。
【００９１】
前側可動役物４０と後側可動役物５０が相対回動自在に連結されたので、そして、側可動役物４０の基端側部分に前方へ突出してベース部材３０前側環状凹部３５に回動自在に係合する前側係合軸部４５が設けられ、後側可動役物５０の基端側部分に後方へ突出してベース部材３０の後側環状凹部３６に回動自在に係合する後側係合軸部５５が設けられたので、前側可動役物４０と後側可動役物５０をベース部材３０に回動自在に確実に支持することができ、前側環状凹部３５と前側係合軸部４５との間と、後側環状凹部３６と後側係合軸部５５との間に、夫々ベアリング４７，５７が介装されたので、前側可動役物４０と後側可動役物５０をベース部材３０に回動自在に円滑に支持することができる。
【００９２】
前側可動役物４０の基端側部分に後方へ突出する前側連結軸部４６が設けられ、後側可動役物５０の基端側部分に前方へ突出する後側連結軸部５６が設けられたので、この前側連結軸部４６と後側連結軸部５６を介して前側可動役物４０と後側可動役物５０を相対回転自在に連結することができ、中間可動役物６０の基端側部分に部分円筒状の中間係合部６５が設けられ、前側連結軸部４６に中間係合部６５が回動自在に外嵌されたので、中間可動役物６０を前側可動役物４０に回動自在に確実に支持することができる。
【００９３】
前側連結軸部４６が部分円筒状に形成され、この前側連結軸部４６に、中間係合部６５が回動自在に外嵌されるともに、後側連結軸部５６が回動自在に内嵌されたので、前側可動役物４０と後側可動役物５０を相対回転自在に容易に連結し、中間可動役物６０を前側可動役物４０に回動自在に確実に支持することができる。
【００９４】
前側係合軸部４５、前側連結軸部４６、後側係合軸部５５、後側連結軸部５６が夫々中空状に形成されて、それらの内部空間が連通され、電飾機構４３，５３，６３に接続された配線４３ａ，５３ａ，６３ａが、前記内部空間を通ってベース部材３０の前壁３１外へ延びるように配設されたので、複数の可動役物４０，５０，６０の電飾機構４３，５３，６３に接続された配線４３ａ，５３ａ，６３ａを、外部から見られないように、複数の可動役物４０，５０，６０の動作の邪魔にならないように配設することができる。
【００９５】
回動駆動機構７０は、３つの可動役物４０，５０，６０の基端側部分に夫々設けられ且つ可動役物４０，５０，６０を回動させる駆動力が入力される３つの従動レバー部材４４，５４，６４を有し、前側可動役物４０の従動レバー部材４４に前側係合軸部４５と前側連結軸部４６が一体形成され、後側可動役物５０の従動レバー部材５４に後側係合軸部５５と後側連結軸部５６が一体形成され、中間可動役物６０の従動レバー部材６４に中間係合部６５が一体形成されたので、部品点数を低減し、構造を簡単化し、組付け性を向上させ、製作コストを低減することができる。
【００９６】
前後に隣接する２つの可動役物４０，６０（６０，５０）のうち、一方の可動役物４０（６０）に他方の可動役物６０（５０）と摺動するように軸心ａを中心とする円弧状の摺動突起部４９（６９）が形成されたので、この摺動突起部４９（６９）により、可動役物４０，６０（６０，５０）同士の接触による摩擦抵抗を低減し、可動役物４０，６０（６０，５０）同士の接触により可動役物４０，６０（６０，５０）が損傷するのを抑制し、複数の可動役物４０，５０，６０を円滑に回動させ、つまり、複数の可動役物４０，５０，６０を回動駆動する回動駆動機構７０の負荷を低減し、回動駆動機構７０の作動面と耐久面での信頼性を高めることができる。
【００９７】
摺動突起部４９（６９）は、前後に隣接する２つの可動役物４０，６０（６０，５０）のうちの前側に位置する可動役物４０（６０）の背面に形成されたので、摺動突起部４９（６９）を外部から見られないように設けて、複数の可動役物４０，５０，６０の見栄えの悪化を防止することができる。
【００９８】
複数の可動役物４０，５０，６０が、第１位置のときに鉛直姿勢になって画像表示器１６の画面前側空間から左右一方側へ退くとともに、第２位置のときに傾斜姿勢になって画像表示器１６の画面前側空間で展開するように構成されたので、複数の可動役物４０，５０，６０を第１位置から第２位置へ切換えることにより、画像表示器１６の左右一端側から上下一端側へ向かう扇状に展開させることができ、画像表示器１６との協働により、演出効果を一層向上させることができる。
【００９９】
ベース部材３０、複数の可動役物４０，５０，６０、及び回動駆動機構７０を左右に２組設け、２組の複数の可動役物４０，５０，６０が、第１位置のときに画像表示器１６の画面前側空間から左右両側へ退くとともに、第２位置のときに画像表示器１６の画面前側空間で前後に重なるように構成されたので、２組の複数の可動役物４０，５０，６０を第１位置から第２位置へ切換えることにより、画像表示器１６の左右両端側から夫々上下一端側へ向かう扇状に展開させることができ、ここで、２組の複数の可動役物４０，５０，６０を相互干渉させることなく大型化することができ、これにより、画像表示器１６の前側を大きく覆い隠すことができ、そして、画像表示器１６との協働により、演出効果をより一層向上させることができる。
【０１００】
尚、前記実施例を部分的に次のように変更してもよい。
（１）駆動力入力機構８０において、電動モータ８１として、ステッピングモータの代わりにサーボモータを採用する。或いは、電動モータの代わりに、ソレノイドアクチュエータ等の種々の電動アクチュエータを採用する。
（２）複数の可動役物４０，５０，６０を第１位置の方へ付勢する何らかの付勢手段を設ける。この場合、駆動レバー部材７１を回動付勢する構成とすることもできる。
【０１０１】
（３）連動連結機構９０は、複数の従動レバー部材４４，５４，６４を駆動レバー部材７１の第２レバー部７１ｂのうちの支軸７５（軸心ｂ）を中心とする周方向の位置が夫々異なる部位に連動連結する。各従動レバー部材４４，５４，６４の駆動レバー部材７１への連動連結部位を前記距離だけでなく前記周方向の位置で調整することにより、複数の可動役物４０，５０，６０の全体的な動作を所望の動作とし、第２位置を所望に位置に設定することができるとともに、駆動レバー部材７１を一部材で構成して、部品点数を低減して、連動連結機構９０の組付け性の向上を期待することができる。
【０１０２】
（４）連動連結機構９０において、複数の従動レバー部材４４，５４，６４に複数の係合ピンを設け、駆動レバー部材７１の第２レバー部７１ｂに、複数の係合ピンが摺動自在に係合する複数の長孔を形成する。
（５）駆動力入力機構８０において、駆動レバー部材７１の第１レバー部７１ａに入力係合ピンを設け、入力レバー部材８３に、入力係合ピンが係合する入力長孔を形成する。
【０１０３】
（６）中間可動役物６０を、後側可動役物５０に回動自在に支持し、この場合、中間係合部６５を後側連結軸部５６に回動自在に外嵌し、更に、前側連結軸部４６を後側連結軸部５６に回動自在に内嵌する。或いは、中間可動役物６０を、前側可動役物４０と後側可動役物５０の両方に回動自在に支持し、この場合、中間係合部６５を前側連結軸部４６と後側連結軸部５６の両方に回動自在に外嵌する。
【０１０４】
（７）前側連結軸部４６と後側連結軸部５６との間にベアリングを介装する。中間係合部６５と前側連結軸部４６（又は後側連結軸部５６）との間にベアリングを介装する。
（８）前側連結軸部４６を円筒状に形成する。後側連結軸部５６を円筒状に形成する。中間係合部６５を円筒状に形成する。
（９）前側可動役物４０に複数の摺動突起部を設ける。中間可動役物６０に複数の摺動突起部を設ける。
【０１０５】
その他、本発明の趣旨を逸脱しない範囲において、種々の変更を付加して実施可能である。例えば、複数の可動役物の数、配置、サイズ、形状、第１位置、第２位置等については適宜変更可能である。また、本発明の可動役物装置は、遊技盤を備えたパチンコ遊技機、或いはパチンコ遊技機以外の遊技盤を備えた遊技機に適用可能である。
【符号の説明】
【０１０６】
１  パチンコ遊技機
４  遊技盤
１６  画像表示器
１７  可動役物装置
１７Ａ  左可動役物機構
１７Ｂ  右可動役物機構
３０  ベース部材
３１  前壁
３２  後壁
３５  前側環状凹部
３６  後側環状凹部
３７  前側枢支孔部
３８  後側枢支孔部
４０  前側可動役物
４３，５３，６３  電飾機構
４３ａ，５３ａ，６３ａ  配線
４４，５４，６４  従動レバー部材
４５  前側係合軸部
４６  前側連結軸部
４７，５７  ベアリング
４９，６９  摺動突起部
５０  後側可動役物
５５  後側係合軸部
５６  後側連結軸部
６０  中間可動役物
６５  中間係合部
７０  回動駆動機構
７１  駆動レバー部材
７１ａ  第１レバー部
７１ｂ  第２レバー部
７５  支軸
８０  駆動力入力機構
８１  電動モータ
８１ａ  出力軸
８３  入力レバー部材
８４ａ  入力係合ピン
８４ｂ  入力長孔
９０  連動連結機構
９１ａ，９２ａ，９３ａ  係合ピン
９１ｂ，９２ｂ，９３ｂ  長孔
【図１】
2010252953.tif 000003
【図２】
2010252953.tif 000004
【図３】
2010252953.tif 000005
【図４】
2010252953.tif 000006
【図５】
2010252953.tif 000007
【図６】
2010252953.tif 000008
【図７】
2010252953.tif 000009
【図８】
2010252953.tif 000010
【図９】
2010252953.tif 000011
【図１０】
2010252953.tif 000012
【図１１】
2010252953.tif 000013
【図１２】
2010252953.tif 000014